【事件の表示】
　平成　６年特許願第　５６６６９号「パチンコ機の機構板における配線押え部材の取付構造」拒絶査定不服審判事件〔平成　７年　９月１２日出願公開、特開平　７−２３６７５２〕について、次のとおり審決する。
【結　論】
　本件審判の請求は、成り立たない。
【理　由】
　
第一、手続きの経緯
　本願は、平成６年３月１日の出願であって、平成１５年６月１０日付けで拒絶理由が通知され、これに対し、同年７月９日付けで手続補正がなされ、同年９月２６日付で拒絶査定がなされ、これに対し、同年１１月５日に拒絶査定に対する審判請求がなされるとともに、同年１２月３日付け手続補正によって明細書の一部が補正されたものである。
　
第二、平成１５年１２月３日付の手続補正についての補正却下の決定
［補正却下の決定の結論］
　平成１５年１２月３日付の手続き補正を却下する。
［理由］
　（１）補正後の本願発明
　本件補正により、特許請求の範囲の請求項１及び２のうちの請求項１は、「モータ，検出スイッチ等の各種裏機構部品から引き出され電源ターミナルに接続される複数本の配線を束ねて収納する断面凹溝状の配線収納溝と、前記配線収納溝を塞ぐように取着される配線押え部材とを備えたパチンコ機の機構板において、
　断面凹溝状に成形される前記配線押え部材の外側面に複数の係止部を突設すると共に、前記配線押え部材がその底部を内側にして塞ぐように嵌め込まれる前記配線収納溝の内側面には前記各係止部と対応位置させて複数の被係止部を開設し、前記配線収納溝に前記配線押え部材を該配線押え部材の上端面が該配線収納溝の上端面とほぼ一致するように嵌め込んで前記各係止部を前記各被係止部に係止させることにより前記配線押え部材を取り付けるようにしたパチンコ機の機構板における配線押え部材の取付構造。」と補正された。
　
　上記補正は
　補正前（平成１５年７月９日付手続補正により補正された特許請求の範囲）の請求項１に記載された発明を特定するために必要な事項である、「配線押え部材」を「断面凹溝状に成形される配線押え部材」と限定し、「配線押え部材が塞ぐように嵌め込まれる」を「配線押え部材がその底部を内側にして塞ぐように嵌め込まれる」と限定し、また「配線押え部材を嵌め込んで」を「配線押え部材を該配線押え部材の上端面が該配線収納溝の上端面とほぼ一致するように嵌め込んで」と限定するものであるから、本件補正は、特許法第１７条の２第３項第２号の特許請求の範囲の減縮を目的とするものに該当する。
　
　（２）そこで、本件補正後の前記請求項１に記載された発明（以下、「本願補正発明」という）が特許出願の際独立して特許を受けることができるものであるのか（平成６年改正前特許法第１７条の２第４項において読み替えて準用する同法第１２６条第３項の規定に適合するか）について以下に検討する。
　
　（あ）刊行物に記載された発明
刊行物１；特開平１−１６６７８５号公報
刊行物２；実願平１−８３５１２号（実開平３−２６２１９号）のマイクロ
　　　　　フィルム
刊行物３；実公昭５０−２７９３号公報
　
　原査定の拒絶理由に引用された特開平１−１６６７８５号公報（以下、「引用刊行物１」という）の、
　第２頁右上欄第１５行乃至左下欄第１行には、「本発明は、機枠と、機枠の前面一側に開閉自在に装着される前面枠と、前面枠の裏側に着脱自在に装着される遊技盤と、遊技盤の裏面に開閉自在に装着され、その遊技盤の裏面に対応する面に開口部が形成され、かつ開口部に沿って樋状の配線収納部が形成された機構板とを備えたパチンコ機であって、・・・」と、　
　第３頁左下欄第１行乃至右下欄第７行には、「機構板２４は、遊技盤９の裏面から一定間隔で離れて対向する板状部２４ａを有し、その板状部２４ａにより内側に入賞球集合カバー２８が位置する空間部２４ｂを形成している。また、板状部２４ａには入賞球集合カバー２８に対応する部分に開口部２９が形成されている。・・・また、開口部２９の右側辺を除く周囲には配線収納部３１が形成される。　配線収納部３１は、第６，７図に示すように補強を兼ねたリブ壁３２．３２を対設して上面が開口した樋状に形成される。リブ壁３２．３２の開口端の適所には係止段部３３を有する弾性爪片３４が位置を違えて複数形成されている。配線収納部３１の開口上面には複数の蓋板３５が着脱自在に装着される。各蓋板３５には、弾性爪片３４と対応する位置に凹欠部３６が形成され、また側方に突出する摘み片３７が形成されている。蓋板３５の取付けは凹欠部３６を弾性爪片３４に当接させながら押圧してその上面を係止段部３３に係止させることによつて達せられる。また、蓋板３５を取外す場合は摘み片３７を持つて係止段部３３による係合を外すことによつて容易に行い得る。また、リブ壁３２．３２の適所には、電線挿入用の開口３８が形成される。」と、
　第５頁左上欄第１１行及び第１２行には、「入賞球排出用のモータ６７が配設される。」と、　
　第１０頁左上欄第１６行乃至右上欄第１３行には、「第２図に示すように機構板２４の裏面右上隅には入出力基板１０２が設けられている。また、機構板２４の裏面下方部には、第１．第２のランプ点灯用スイッチ８０ａ、８０ｂ、第１．第２の入賞球検出用スイッチ８１ａ、８１ｂや満タン打止用スイッチ１０１−３等から出ているリード線の差込端子を備えた中継基板１０３が設けられている。そして、中継基板１０３の差込端子から出ているリード線或いは球切れ検知用スイッチ９５−１３から出ているリード線は、開口３８から配線収納部３１内に一担通して収められ、再び開口３８から引き出して入出力基板１０２の各端子に接続されている。　このように、各スイツチ部品から出ているリード線を配線収納部３１内に収めることにより、リード線がブラついたりせず、その後の製造工程や運搬の際或いはパチンコ機の保守、点検作業時にリード線が邪魔になるようなことが無くなる。また、断線等の事故の発生を防止することができる。」と、それぞれ記載されている。
　
　そして、これらの記載と図面、特に機構板の開口部部分の斜視図である第６及び７図，球止装置部分の斜視図である第２３図に記載された「複数の凹欠部３６が形成され、配線収納部３１の開口上面を塞ぐように装着される、複数の蓋板３５」及び「配線収納部３１の開口端には各凹欠部３６と対応位置させて複数の弾性爪片３４を形成」の事項とを併せると、
　引用刊行物１には、
「入賞球排出用のモータ６７と、第１．第２のランプ点灯用スイッチ８０ａ、８０ｂ、第１．第２の入賞球検出用スイッチ８１ａ、８１ｂや満タン打止用スイッチ１０１−３等から出ているリード線の差込端子を備えた中継基板１０３と、中継基板１０３の差込端子から出ているリード線或いは球切れ検知用スイッチ９５−１３から出ているリード線を開口３８から一担内部に収め再び開口３８から引き出して入出力基板１０２の各端子に接続させる、上面が開口した樋状の配線収納部３１と、配線収納部３１の開口上面を塞ぐように着脱自在に装着される複数の蓋板３５と、配線収納部３１が形成された機構板２４とを備えたパチンコ機において、
　各蓋板３５には、弾性爪片３４と対応する位置に複数の凹欠部３６が形成され、複数の蓋板３５が開口上面を塞ぐように装着される配線収納部３１の開口端には各凹欠部３６と対応位置させて係止段部３３を有する複数の弾性爪片３４が形成され、蓋板３５の取付けは凹欠部３６を弾性爪片３４に当接させながら押圧してその上面を係止段部３３に係止させることによって達せられる、パチンコ機の機構板における蓋板３５の取付構造。」の発明（以下、「引用発明１」という）が記載されていると認められる。
　
　本願出願前に頒布された、実願平１−８３５１２号（実開平３−２６２１９号）のマイクロフィルム（以下、「引用刊行物２」という）の、
　明細書第１頁第１４行及び第１５行には、
「本考案は、自動車等車両用電気配線のクランプ装置に関する。」と、
　明細書第２頁第１１行乃至第１７行には、
「本考案によれば、車両用電気配線を収納する断面がＵ字状のレール部材の側壁に係合孔を設けると共に、前記レール部材Ｕ字状開口部に挿入し電気配線を保持するクランプ部材を設け、該クランプ部材に内側に弾性変形可能なつめ部を形成し、該つめ部に前記係合孔に係合する突部を形成している。」と、
　明細書第３頁第１６行乃至第４頁第１３行には、
「・・・本考案のクランプ装置は、レール部材１とクランプ部材５とからなっている。　そのレール部材１は、断面がＵ字状の長尺部材２で形成され、複数箇所に対向して係合孔３、３が穿設されている。それら係合孔３は、長尺部材２の端縁２ａに直交する溝部４により端縁２ａに連続されている。　他方、クランプ部材５は、プラスチック材で略容器状体６に形成されている。その容器状体６の底壁７は、長尺部材２の底壁２ｂと協働して電線ａ等を多数納めたコルゲートチューブＡを保持するように、断面が略半円状に形成されている。また、両側壁７、７には、一対のスリット８、８により内方へ弾性変形できるつめ部９、９が形成され、それらつめ部９の先端部１０は、ストッパを兼ねた端縁部１１より突出されている。そして、これらのつめ部９には、長尺部材２の係合孔３に係合する突部１２が突設されている。」と、　
　明細書第６頁第６行乃至第９行には、
「本考案は、・・・電気配線を確実に保持し、かつ、着脱を容易に行うことができ、配線作業性を向上することができる。」と、それぞれ記載されている。
　
　したがって、これらの記載を併せると、
　引用刊行物２には、
「レール部材１と該レール部材１に挿入されるクランプ部材５とからなるクランプ装置において、
　レール部材１は、断面がＵ字状の長尺部材２で形成され、複数箇所に対向して係合孔３、３が穿設されており、
　クランプ部材５は、略容器状体６に形成され、その容器状体６の底壁７は、長尺部材２の底壁２ｂと協働して電線ａ等を多数納めたコルゲートチューブＡを保持するように、断面が略半円状に形成され、両側壁７、７には、つめ部９、９が形成され、これらのつめ部９には、長尺部材２の係合孔３に係合する突部１２が突設されている、電気配線のクランプ装置の係合構造」の発明（以下、「引用発明２」という）が記載されていると認められる。
　
　本願出願前に頒布された、実公昭５０−２７９３号公報（以下、「引用刊行物３」という）の、
　第１頁第２欄第１０行乃至第１４行には、
「本考案の使用状態について説明すれば、一般には第２図に示すように電線止め具Ｄの押板５が本体Ａの樋状部１内にあるように屈折部６を本体Ａの屈折部２の内側に係合して電線束Ｃを押板５にて押圧して樋状部１内に固定せしめるものである。」と、
　第１頁第２欄第２２行乃至第２８行には、
「本体Ａの端部は勿論中央部においても任意の個所に電線止め具Ｄを開口部に上方より押圧すれば屈折部６は本体Ａの屈折部２に容易に係合し、あるいは電線止め具Ｄを上方へ引ばれば係合を解除することができるから、電線止め具Ｄの着脱は極めて容易である。」と、
　第２頁の「実用新案登録請求の範囲」には、
「横断面Ｕ字形をなす樋状部の開口部両側縁に内側方へ屈折した断面く字形の屈折部２を設けた本体Ａと、・・・カバーＢとで構成せる硬質塩化ビニール製配線用ダクトにおいて、本体Ａの屈折部２の内側に係合する断面く字形屈折部６を押板５の両端縁に設け、該押板で電線束Ｃを押圧するようにした硬質塩化ビニール及びこれと同効質物で作られた電線止め具Ｄを具備せる配線用ダクト。」が、それぞれ記載されている。
　また、図面、特に本考案の一部切欠斜視図である第２図及び電線止め具の正面図である第５図には「断面が略凹溝状に成形される電線止め具Ｄが、その押板５を内側にし、上端面が本体Ａの上端面とほぼ一致するように本体Ａに取り付けられている様子」が示されている。　
　　
　したがって、これらの記載と図面に示された事項とを併せると、
　引用刊行物３には、
「横断面Ｕ字形をなす樋状部の開口部両側縁に内側方へ屈折した断面く字形の屈折部２を設けた本体Ａと、カバーＢとで配線用ダクトが構成され、本体Ａの屈折部２の内側に係合する断面く字形屈折部６を両端縁に設けた押板５で電線束Ｃを押圧するようにした電線止め具Ｄを具備せる配線用ダクトにおいて、
　断面が略凹溝状に成形される電線止め具Ｄが、その押板５を内側にし、上端面が本体Ａの上端面とほぼ一致するように本体Ａに取り付けられる配線用ダクト」の発明（以下、「引用発明３」という）が記載されていると認められる。
　
　（い）本願補正発明と引用発明１との比較・検討
　引用発明１の「モータ６７」及び「第１．第２のランプ点灯用スイッチ８０ａ、８０ｂ、第１．第２の入賞球検出用スイッチ８１ａ、８１ｂや満タン打止用スイッチ１０１−３等」並びに「球切れ検知用スイッチ９５−１３」は、本願補正発明の「モータ，検出スイッチ等の各種裏機構部品」に相当し、以下同様に、「入出力基板１０２」は「電源ターミナル」に、「リード線」は「配線」に、「上面が開口した樋状の配線収納部３１」は「断面凹溝状の配線収納溝」に、「パチンコ機」は「パチンコ機」に、「機構板２４」は「機構板」に、「取付構造」は「取付構造」に、それぞれ相当する。
　そして、引用発明１の「凹欠部３６」及び「弾性爪片３４」は本願補正発明の「係止部」及び「被係止部」と比較して、「配線押え部材側の取付具」及び「配線収納溝側の取付具」においてそれぞれ一致する。
　なお、「蓋板３５」は配線収納部３１内に配線を押さえつつ収納している点で本願補正発明の「配線押え部材」と共通している。
　
　したがって、両者の一致点及び相違点は次のとおりである。
　＜一致点＞
　電源ターミナルに接続される配線を収納する断面凹溝状の配線収納溝と、前記配線収納溝を塞ぐように取着される配線押え部材とを備えたパチンコ機の機構板において、
　前記配線押え部材に複数の配線押え部材側の取付具を設けると共に、前記配線押え部材が塞ぐように取着される前記配線収納溝には前記各取付具と対応位置させて複数の配線収納溝側の取付具を設け、前記配線収納溝に前記配線押え部材を、両者の取付具を係止させることにより取り付けるようにしたパチンコ機の機構板における配線押え部材の取付構造。
　
　＜相違点＞
　（Ａ）配線収納溝に収納される配線は、本願補正発明では、モータ，検出スイッチ等から引き出され、束ねられている複数本のものであるのに対し、引用発明１では、中継基板１０３の差込端子から引き出される配線或いは検出スイッチから引き出される配線である点。
　（Ｂ）両者の取付具が、本願補正発明では、配線押え部材の外側面に係止部を突設すると共に、前記配線収納溝の内側面には被係止部を開設したのに対し、引用発明１では、配線押え部材に形成された凹欠部３６及び配線収納溝に形成された弾性爪片３４である点。
　（Ｃ）配線押え部材の配線収納溝への取付構造が、本願補正発明では、断面凹溝状に成形される配線押え部材が、その底部を内側にし、上端面が配線収納溝の上端面とほぼ一致するように嵌め込んで取り付けられるのに対し、引用発明１では、そのような構成を有していない点。　
　
　そこで、上記相違点について検討する。
　相違点（Ａ）について
　引用発明１の「配線収納溝に収納される配線」は、「検出スイッチ等から引き出された配線が差し込まれた中継基板１０３」から引き出されたものであって、電源ターミナルの各端子に接続させるものである。そして、検出スイッチ等を構成する各種スイッチの作用がランプ点灯用や満タン打止用であって機能が異なること及び電源ターミナルの「各」端子に接続させることを併せて考慮すると、当該「配線収納溝に収納される配線」は、「検出スイッチ等から引き出されている複数本のもの」であることを示唆しているということができる。また、引用発明１の「パチンコ機」は、モータを備えているから、当該モータが配線を有することは明らかであることを考慮すれば、当該配線を検出スイッチ等から引き出されている配線と同様に配線収納溝に収納させることは「裏機構部品から引き出される配線」において共通しているから、当業者が容易になし得ることであり、さらに、複数本の配線を束ねることは保守点検作業などを容易にするために普通に採用されている事項である。したがって、相違点（Ａ）に係る本願補正発明の発明を特定する事項とすることは、引用発明１に基づいて当業者が容易になし得たものである。
　
　相違点（Ｂ）について
　引用発明２には、配線押え部材の外側面に係止部を突設すると共に、配線収納溝の内側面には被係止部を開設した配線押え部材の取付構造が記載されている。したがって、当該配線押え部材の取付構造を引用発明１の配線押え部材の取付構造に適用し、相違点（Ｂ）に係る本願補正発明の発明を特定する事項とすることは、当業者が容易になし得たものである。
　
　相違点（Ｃ）について
　引用発明３には、断面が略凹溝状に成形される配線押え部材が、その底部を内側にし、上端面が配線収納溝の上端面とほぼ一致するように嵌め込んで取り付けられる配線押え部材の取付構造が記載されている。そして、配線押え部材の断面形状をどのような形状とするかは配線収納溝の断面形状や収納される配線の量などを考慮して当業者が適宜決定できる設計上の事項であるから、配線押え部材の断面形状を断面凹溝状とし、当該配線押え部材の取付構造を引用発明１の配線押え部材の取付構造に適用し、相違点（Ｃ）に係る本願補正発明の発明を特定する事項とすることは、当業者が容易になし得たものである。
　
　また、効果においても、本願補正発明が格別の効果を奏するものとは認められない。
　
　そうすると、本願補正発明は、引用発明１乃至３に基づいて、当業者が容易に発明をすることができたものであるから、特許法第２９条第２項の規定により特許出願の際独立して特許を受けることができないものである。
　
　（う）むすび
　以上のとおり、本件補正は、平成６年改正前特許法第１７条の２第４項において読み替えて準用する同法第１２６条第３項の規定に違反するので、特許法第１５９条第１項において読み替えて準用する同法第５３条第１項の規定により却下すべきものである。
　
第三、本願発明について
　平成１５年１２月３日付けの手続き補正は上記のとおり却下されたので、本願の請求項１及び２に係る発明は、上記平成１５年７月９日付けで補正された明細書の記載からみて、その特許請求の範囲の請求項１及び２に記載されたとおりのものと認められるところ、その請求項１に記載された発明は次のとおりのものである。
　「モータ，検出スイッチ等の各種裏機構部品から引き出され電源ターミナルに接続される複数本の配線を束ねて収納する断面凹溝状の配線収納溝と、前記配線収納溝を塞ぐように取着される配線押え部材とを備えたパチンコ機の機構板において、
　前記配線押え部材の外側面に複数の係止部を突設すると共に、前記配線押え部材が塞ぐように嵌め込まれる前記配線収納溝の内側面には前記各係止部と対応位置させて複数の被係止部を開設し、前記配線収納溝に前記配線押え部材を嵌め込んで前記各係止部を前記各被係止部に係止させることにより前記配線押え部材を取り付けるようにしたパチンコ機の機構板における配線押え部材の取付構造。」（以下、「本願発明」という）
　
　（あ）刊行物に記載された発明
引用刊行物１；特開平１−１６６７８５号公報
引用刊行物２；実願平１−８３５１２号（実開平３−２６２１９号）の
　　　　　　　マイクロフィルム
刊行物４；実願平２−８７５５３号（実開平４−４５９７２号）のマイクロ
　　　　　フィルム
　原査定の拒絶の理由に引用された引用刊行物１（特開平１−１６６７８５号公報）及び本願出願前に頒布された引用刊行物２（実願平１−８３５１２号（実開平３−２６２１９号）のマイクロフィルム）の記載事項は前記「第二、（２）（あ）」に記載したとおりである。
　
　本願出願前に頒布された、実願平２−８７５５３号（実開平４−４５９７２号）のマイクロフィルム（以下、「引用刊行物４」という）の、
　明細書第１頁第１３行乃至第１６行には、
「該シールドケースには、・・・サーチコイル及び被検出線材を引き出すための窓孔を設けて成る・・・電流センサー。」と、
　明細書第１頁第１９行乃至第２頁第１行には、
「本考案は電流センサーに係り、特にパチンコゲーム機の球の給出数を検出して総合管理をするのに好適な電流センサーに関する。」と、
　明細書第７頁第２０行乃至第９頁第１５行には、
「シールドケース２２は、・・・箱状のシールドケース基体２２ａと、・・・スライド体２２ｂと、スライド体２２ｂが収納された状態のシールドケース基体２２ａに被嵌される両側縁３４を有する皿状のキャップ２２ｃとから成っている。・・・又シールドケース基体２２ａの周縁３９には係合突起３７を突設させると共に、該係合突起３７に係合する係合孔３８をキャップ２２ｃの両側縁３４に穿設させてある。
・・・プリント配線板２４からの引き出し線２５は、・・・シールドケース基体２２ａの周縁切欠箇所と対向する周縁３９の位置に形成した窓孔４０を挿通させて外部に引き出す。・・・被検出線材３３は、スライド体２２ｂに設けた窓孔４２から外部に引き出す。上記のように第１の内ケース２６及び第２の内ケース３０を収納させたシールドケース基体２２ａにはキャップ２２ｃを被着させる。この被着に当たっては、係合突起３７に係合孔３８を係合させて脱落不能に固定する。」と、それぞれ記載されている。
　
　そして、これらの記載と図面、特に断面図である【第１図】における、二点鎖線で示された「キャップ２２ｃ」の内側に「外側面に係合突起３７を突設させたシールドケース基体２２ａ」が示されている事項とを併せると、
　引用刊行物４には、
「箱状のシールドケース基体２２ａと、スライド体２２ｂが収納された状態のシールドケース基体２２ａに被嵌される皿状のキャップ２２ｃとから成り、引き出し線２５及び被検出線材３３を外部に引き出すための窓孔４０及び４２を設けて成る、パチンコゲーム機の電流センサーのシールドケースにおいて、
　シールドケース基体２２ａの周縁３９には係合突起３７を突設させると共に、係合孔３８をキャップ２２ｃの両側縁３４に穿設させ、係合突起３７に係合孔３８を係合させてキャップ２２ｃの内側にシールドケース基体２２ａを脱落不能とする固定構造」の発明（以下、「引用発明４」という）が記載されていると認められる。
　
　（い）本願発明と引用発明１との対比・判断
　引用発明１の「モータ６７」及び「第１．第２のランプ点灯用スイッチ８０ａ、８０ｂ、第１．第２の入賞球検出用スイッチ８１ａ、８１ｂや満タン打止用スイッチ１０１−３等」並びに「球切れ検知用スイッチ９５−１３」は、本願発明の「モータ，検出スイッチ等の各種裏機構部品」に相当し、以下同様に、「入出力基板１０２」は「電源ターミナル」に、「リード線」は「配線」に、「上面が開口した樋状の配線収納部３１」は「断面凹溝状の配線収納溝」に、「パチンコ機」は「パチンコ機」に、「機構板２４」は「機構板」に、「取付構造」は「取付構造」に、それぞれ相当する。そして、引用発明１の「凹欠部３６」及び「弾性爪片３４」は本願発明の「係止部」及び「被係止部」と比較して、「配線押え部材側の取付具」及び「配線収納溝側の取付具」においてそれぞれ一致する。
　なお、「蓋板３５」は配線収納部３１内に配線を押さえつつ収納している点で本願補正発明の「配線押え部材」と共通している。
　
　したがって、両者の一致点及び相違点は次のとおりである。
　＜一致点＞
　電源ターミナルに接続される配線を収納する断面凹溝状の配線収納溝と、前記配線収納溝を塞ぐように取着される配線押え部材とを備えたパチンコ機の機構板において、
　前記配線押え部材に複数の配線押え部材側の取付具を設けると共に、前記配線押え部材が塞ぐように取着される前記配線収納溝には前記各取付具と対応位置させて複数の配線収納溝側の取付具を設け、前記配線収納溝に前記配線押え部材を、両者の取付具を係止させることにより取り付けるようにしたパチンコ機の機構板における配線押え部材の取付構造。
　
　＜相違点＞
　（イ）配線収納溝に収納される配線は、本願発明では、モータ，検出スイッチ等から引き出され、束ねられている複数本のものであるのに対し、引用発明１では、中継基板１０３の差込端子から引き出される配線或いは検出スイッチから引き出される配線である点。
　（ロ）配線押え部材の取付構造が、本願発明では、配線押え部材の外側面に係止部を突設すると共に、前記配線押え部材が嵌め込まれる配線収納溝の内側面には被係止部を開設し、前記配線収納溝に前記配線押え部材を嵌め込んで取り付けるようにしたのに対し、引用発明１では、配線押え部材に形成された凹欠部３６を弾性爪片３４に当接させながら押圧してその上面を係止段部３３に係止させる点。
　　
　そこで、上記相違点について検討する。
　相違点（イ）について　
　相違点（イ）の記載内容は、相違点（Ａ）の記載内容と同一であるから、上記の相違点（Ａ）についての検討内容を援用する。したがって、相違点（イ）に係る本願発明の発明を特定する事項とすることは、引用発明１に基づいて当業者が容易になし得たものである。
　
　相違点（ロ）について　
　配線を内在する技術において、外側面に係止部が突設された一方の部材を、内側面に被係止部が開設された他方の部材に嵌め込んで取り付ける取付構造は、例えば、引用発明２における「突部１２が突設されているクランプ部材５を、係合孔３、３が穿設されている長尺部材２に挿入する係合構造」及び引用発明４における「係合突起３７を突設させたシールドケース基体２２ａを、係合孔３８を穿設させたキャップ２２ｃの内側に脱落不能とする固定構造」のように周知・慣用の技術である。そして、引用発明１と上記周知・慣用の技術とは、配線を内在する技術において共通しているから、引用発明１における「配線押え部材の取付構造」に上記周知・慣用の技術を適用して、相違点（ロ）に係る本願発明の発明を特定する事項とすることは、当業者が適宜採用し得る設計事項である。
　
　また、効果においても、本願発明が格別の効果を奏するものとは認められない。
　
　そうすると、本願発明は、引用発明１に基づいて、当業者が容易に発明をすることができたものであるから、特許法第２９条第２項の規定により特許を受けることができないものである。
　
　（う）むすび
　以上のとおり、本願発明は、引用発明１に基づいて、当業者が容易に発明をすることができたものであるから、特許法第２９条第２項の規定により特許を受けることができないものであり、本願の他の請求項に係る発明について検討するまでもなく、本願は拒絶すべきものである。
　よって、結論のとおり審決する。